(57)【要約】【課題】撮影者の意図する多重露出撮影を行って元画像と多重露出画像を保存可能とする。【解決手段】多重露出撮影を行う際に、撮影設定手段で何枚の画像を撮影し合成するかを設定する。残りの撮影可能枚数検出手段で記録媒体の空き容量を検出し、この空き容量で後何枚分の画像データを記憶できるかの画像の枚数を算出する。多重露出撮影を行うための制御を司る制御部は、撮影設定手段で設定された撮影されて合成される画像の枚数と、残りの撮影可能枚数検出手段で検出された画像の枚数とを比較して記録媒体に記録しきれない画像データを不揮発性記録手段に保存する。多重露出撮影で撮影された画像データを保存するのに必要な容量を有する記録媒体に交換されたことを検知した際に、不揮発性記録手段に保存されている画像データから画像と合成画像とを生成して、記録媒体に保存するよう制御する。【選択図】図１ａ
2012019388.tif 000002
【特許請求の範囲】
【請求項１】
撮影手段で撮影される複数の画像の画像データを合成する多重露出撮影の機能を備える撮像装置であって、
画像データを保存可能な不揮発性記録手段と、
前記合成を行う合成手段と、
前記多重露出撮影で合成される画像データの合成枚数を設定する設定手段と、
記録媒体の空き容量を検出し、前記空き容量に対応する、前記記録媒体の画像データの記憶可能枚数を算出する検出手段と、
前記多重露出撮影ごとに、前記複数の画像の画像データ及び前記複数の画像の画像データを合成して生成される合成画像データを記録媒体に保存する記録制御手段と、を備え、
前記記録制御手段は、
前記合成枚数と前記記憶可能枚数とを比較して、前記多重露出撮影にて生成される画像データが前記記録媒体に記録しきれないと判定される場合、当該記録しきれない画像データを前記不揮発性記録手段に保存し、前記不揮発性記録手段に当該記録しきれていない画像データが保存されている状態で、前記記録媒体が当該記録しきれていない画像データを保存するのに必要な容量を有する状態であること、あるいは当該記録しきれていない画像データを保存するのに必要な容量を有する記録媒体に交換されたことを検知したときに、前記不揮発性記録手段に保存されている当該記録しきれていない画像データを合成画像記録媒体に保存することを特徴とする撮像装置。
【請求項２】
前記記録制御手段は、
前記設定手段で設定された合成枚数と、前記記憶可能枚数とを比較して前記記録媒体に記録しきれないと判定した場合に、前記記録媒体に保存できる容量が不足していることを示す警告表示を表示部に表示することを特徴とする請求項１記載の撮像装置。
【請求項３】
撮影手段で撮影される複数の画像の画像データを合成する多重露出撮影の機能を備える撮像装置であって、
前記合成を行う合成手段と、
前記多重露出撮影で合成される画像データの合成枚数を設定する設定手段と、
記録媒体の空き容量を検出し、前記空き容量に対応する、前記記録媒体の画像データの記憶可能枚数を算出する検出手段と、
前記多重露出撮影ごとに、前記複数の画像の画像データ及び前記複数の画像の画像データを合成して生成される合成画像データを記録媒体に保存する記録制御手段と、を備え、
前記記録制御手段は、
前記合成枚数と前記記憶可能枚数とを比較して、前記設定手段で設定された撮影枚数まで撮影できないと判定したときに、不揮発性記録手段に撮影できた前記画像データと撮影中断情報を保存し、
容量が十分な電池に入れ替えられたときに撮影を続行させ、前記不揮発性記録手段に保存してある前記画像データと合わせて多重露出撮影に必要な全ての画像と合成画像とを生成して、前記記録媒体に保存することを特徴とする撮像装置。
【発明の詳細な説明】
【技術分野】
【０００１】
本発明は、複数の静止画を合成する多重露出撮影機能を備え、撮影ごとに記録媒体に多重露出画像と共に元画像データを保存可能な撮像装置に関する。特に、多重露出撮影中に記録媒体が一杯になった場合に多重露出撮影を続行させる記録手段を備えた撮像装置に関するものである。
【背景技術】
【０００２】
多重露出撮影機能を備えた撮像装置では、撮影ごとに記録媒体に撮影元画像を保存する形式の多重露出撮影を行っている最中に記録媒体の残り容量が一杯になってしまう場合がある。このような場合に、撮像装置では、多重露出撮影を中断させるか又は多重露出撮影を停止するのが普通である。
【０００３】
従来の撮像装置には、撮影された時刻情報を取得して撮影時刻が近いものがあれば画像をＲＡＭ上で合成して多重撮影画像を生成するものが提案されている（例えば、特許文献１参照）。
【０００４】
また、多重露出撮影を行うときに、合成した多重露出撮影画像と共に、撮影ごとの元画像を記録媒体へ保存するものが提案されている（例えば、特許文献２参照）。
【先行技術文献】
【特許文献】
【０００５】
【特許文献１】特開２００１−２６８４３５号公報
【特許文献２】特願２００５−１７２２１５号公報
【発明の概要】
【発明が解決しようとする課題】
【０００６】
このような従来の撮像装置では、元画像と多重露出画像を保存する多重露出撮影を行っているときに画像を保存する記録媒体が一杯になってしまうと、撮影者の意図しない状態で撮影が終了してしまうことになる。また、従来の撮像装置では、多重露出撮影中に電池が切れて多重露出撮影が中断された場合にも、撮影者の意図しない状態で撮影が終了してしまうことになる。
【０００７】
本発明の目的は、多重露出撮影の際に、画像を保存する記録媒体の残量が不足し又は電池残量が不足した場合でも、撮影者の意図する多重露出撮影を行って元画像と多重露出画像を保存可能とした、撮像装置を提供することにある。
【課題を解決するための手段】
【０００８】
上記目的を達成するために、本発明の撮像装置は、撮影手段で撮影される複数の画像の画像データを合成する多重露出撮影の機能を備える撮像装置であって、画像データを保存可能な不揮発性記録手段と、前記合成を行う合成手段と、前記多重露出撮影で合成される画像データの合成枚数を設定する設定手段と、記録媒体の空き容量を検出し、前記空き容量に対応する、前記記録媒体の画像データの記憶可能枚数を算出する検出手段と、前記多重露出撮影ごとに、前記複数の画像の画像データ及び前記複数の画像の画像データを合成して生成される合成画像データを記録媒体に保存する記録制御手段と、を備え、前記記録制御手段は、前記合成枚数と前記記憶可能枚数とを比較して、前記多重露出撮影にて生成される画像データが前記記録媒体に記録しきれないと判定される場合、当該記録しきれない画像データを前記不揮発性記録手段に保存し、前記不揮発性記録手段に当該記録しきれていない画像データが保存されている状態で、前記記録媒体が当該記録しきれていない画像データを保存するのに必要な容量を有する状態であること、あるいは当該記録しきれていない画像データを保存するのに必要な容量を有する記録媒体に交換されたことを検知したときに、前記不揮発性記録手段に保存されている当該記録しきれていない画像データを合成画像記録媒体に保存することを特徴とする。
【０００９】
上記目的を達成するために、本発明の撮像装置は、撮影手段で撮影される複数の画像の画像データを合成する多重露出撮影の機能を備える撮像装置であって、前記合成を行う合成手段と、前記多重露出撮影で合成される画像データの合成枚数を設定する設定手段と、
記録媒体の空き容量を検出し、前記空き容量に対応する、前記記録媒体の画像データの記憶可能枚数を算出する検出手段と、前記多重露出撮影ごとに、前記複数の画像の画像データ及び前記複数の画像の画像データを合成して生成される合成画像データを記録媒体に保存する記録制御手段と、を備え、前記記録制御手段は、前記合成枚数と前記記憶可能枚数とを比較して、前記設定手段で設定された撮影枚数まで撮影できないと判定したときに、不揮発性記録手段に撮影できた前記画像データと撮影中断情報を保存し、容量が十分な電池に入れ替えられたときに撮影を続行させ、前記不揮発性記録手段に保存してある前記画像データと合わせて多重露出撮影に必要な全ての画像と合成画像とを生成して、前記記録媒体に保存することを特徴とする。
【発明の効果】
【００１０】
本発明によれば、多重露出撮影の際に、画像を保存する記録媒体の残量が不足し又は電池残量が不足した場合でも、多重露出枚数分の元画像と多重露出結果画像を、新しい記録媒体に保存できるようにする。これにより、撮影者の意図する多重露出撮影を行って元画像と多重露出画像を保存可能とした撮像装置を提供できる。
【図面の簡単な説明】
【００１１】
【図１ａ】本発明の実施の形態に係わる撮像装置で多重露出撮影中に記録媒体の残量が不足した場合の処理の手順を示すフローチャートである。
【図１ｂ】本発明の実施の形態に係わる撮像装置で多重露出撮影中に記録媒体の残量が不足した場合の処理の手順を示すフローチャートの続きである。
【図２ａ】撮像装置で多重露出撮影中に電池残量が不足した場合の処理の手順を示すフローチャートである。
【図２ｂ】撮像装置で多重露出撮影中に電池残量が不足した場合の処理の手順を示すフローチャートの続きである。
【図３】本発明の実施の形態に係わる撮像装置におけるカメラ制御システムの概略構成を示すブロック図である。
【図４】（ａ）は、本発明の実施の形態に係わる撮像装置で多重露出撮影中に記録媒体が一杯になったときの警告表示を示す説明図である。（ｂ）は、撮像装置で多重露出撮影中に電池残量が不足した場合の警告表示を示す説明図である。
【発明を実施するための形態】
【００１２】
以下、本発明の実施の形態に係わる複数の静止画を合成する多重露出撮影機能を備えた撮像装置について図面を参照しながら説明する。
【００１３】
本実施の形態に係わる撮像装置におけるカメラ制御システムの概略構成を示す図３のブロック図で、１は、撮影レンズであり、この撮影レンズ１を通過した披写像が撮像部２で結像され、電気信号へ変換される。この電気信号は、Ａ／Ｄ変換装置３によってデジタル信号へ変換される。
【００１４】
このＡ／Ｄ変換装置３で変換されたデジタル信号は、撮像装置全体を制御する制御部としてのＣＰＵ４へ送信される。このＣＰＵ４は、受信したデジタル信号を画像処理部５へ送信して様々な処理を行わせて画像データに変換させる。
【００１５】
画像処理部５で変換された画像データを受信したＣＰＵ４は、この画像データをＲＡＭ（Ｒａｎｄｏｍ  Ａｃｃｅｓｓ  Ｍｅｍｏｒｙ）である画像記録部８に送信して保存させる。また、ＣＰＵ４は、画像記録部８に保存されている画像データを画像合成部７へ送信して画像を合成させる。また、制御部としてのＣＰＵ４は、カメラの設定など電源を切っても忘れたくない情報を、不揮発性記録媒体としてのＲＯＭ（Ｒｅａｄ  Ｏｎｌｙ  Ｍｅｍｏｒｙ）である画像記録部１１に保存しておく。
【００１６】
さらに、ＣＰＵ４は、画像記録部８に保存してある画像データ又は画像合成部７で作成された画像データを、合成画像記録媒体である記録媒体９に保存させることができる。すなわち、記録制御手段としてのＣＰＵ４は、多重露出撮影ごとに、複数の画像の画像データ及び複数の画像の画像データを合成して生成される合成画像データを合成画像記録媒体に保存する。
【００１７】
制御部としてのＣＰＵ４は、ＴＦＴなどの液晶ディスプレイからなる表示部１０に、画像データを送って制御することにより、撮像画像、警告画面など様々な情報を表示させることができる。
【００１８】
また、ＣＰＵ４は、電池容量検出手段としての電池残量検出部１２が電池残量の残り容量を検出し、後何枚撮影できるかの判定を行った結果を受信する。これと共に、ＣＰＵ４は、撮影設定手段としての撮影枚数設定部１３で、多重露出撮影を何枚の撮影で行うかを設定した結果を受信する。
【００１９】
また、撮影可能枚数検出手段としての記録媒体容量検出部６は、記録媒体９の空き容量を検出し、この空き容量で後何枚分の画像データを記憶できるかを計算し、その結果をＣＰＵ４に送信する。すなわち、記録媒体容量検出部６は、空き容量に対応する、記録媒体の画像データの記憶可能枚数を算出する。
【００２０】
次に、上述のように構成された撮像装置において、撮影時の元画像と多重撮影結果画像を記録媒体に保存する多重露出撮影を行うときの手順について、図１ａ及び図１ｂのフローチャートを参照して説明する。この図１ａ及び図１ｂのフローチャートでは、多重露出撮影中に記録媒体９が一杯になった場合に、記録媒体９を交換することにより多重露出撮影を完成させる処理を含む。
【００２１】
この撮像装置では、撮影者が多重露出撮影モードのスイッチＯＮにすると、制御部としてのＣＰＵ４が多重露出撮影処理を開始する。そして、撮影設定手段としての撮影枚数設定部１３では、多重露出撮影を行う枚数が設定され、その結果がＣＰＵ４に送信される（ステップＳ２０１）。また、撮影可能枚数検出手段としての記録媒体容量検出部６は、記録媒体９の空き容量を検出し、この空き容量で後何枚分の画像データを記憶できるかを計算した結果をＣＰＵ４に送信する（ステップＳ２０２）。
【００２２】
次に、ＣＰＵ４は、記録媒体容量検出部６で計算された残り撮影可能枚数と、撮影枚数設定部１３で設定された撮影枚数とを比較する。そして撮影可能枚数が多かった場合（ステップＳ２０３でＹＥＳ）には、撮影を行う（ステップＳ２０４）。
【００２３】
次に、ＣＰＵ４は、撮影して得られた画像データを画像記録部８のＲＡＭ上に記録する（ステップＳ２０５）。次に、ＣＰＵ４は、画像データを記録媒体９に保存する（ステップＳ２０６）。
【００２４】
次に、ＣＰＵ４は、前述したステップＳ２０１で、撮影枚数設定部１３が設定した設定枚数と、ステップＳ２０４で撮影した撮影枚数とを比較する（ステップＳ２０７）。そして、ＣＰＵ４は、設定枚数まで達していないと判定した場合（ステップＳ２０７でＹＥＳ）には、ステップＳ２０４に戻りステップＳ２０５，ステップＳ２０６の動作を繰り返す。
【００２５】
また、ＣＰＵ４は、設定枚数まで達したと判定した場合（ステップＳ２０７でＮＯ）に、画像記録部８に保存してある画像データを引き出して合成画像を生成する（ステップＳ２０８）。
【００２６】
次に、ＣＰＵ４は、生成した合成画像のデータを、記録媒体９に保存し（ステップＳ２０９）、この多重露出撮影処理を終了する。
【００２７】
また、ＣＰＵ４は、前述したステップＳ２０３で、記録媒体９の空き容量での残り撮影可能枚数より、撮影枚数設定部１３で設定された撮影枚数が多かった場合（ステップＳ２０３でＮＯ）には、ステップＳ２１０へ進む。
【００２８】
この場合には、ステップＳ２０３で検出された記録可能枚数より、設定した撮影枚数の方が多いので、ステップＳ２１０で撮影を行った後に、ＣＰＵ４は、画像記録部１１のＲＯＭ上に画像データを記録させる（ステップＳ２１１）。
【００２９】
次に、ＣＰＵ４は、ステップＳ２１０で撮影した画像が、記録媒体９に保存可能か否かの判定を行う（ステップＳ２１２）。そして、ＣＰＵ４は、保存できると判定した場合（ステップＳ２１２でＹＥＳ）に、ステップＳ２１１で記録した画像データを記録媒体９に保存する。
【００３０】
また、ＣＰＵ４は、設定枚数に達しているかの判定を行い、設定枚数に達していない場合（ステップＳ２１４でＮＯ）に、繰り返し撮影を行う。
【００３１】
そして、ＣＰＵ４は、ステップＳ２１４で設定枚数に達したと判定した場合（ステップＳ２１４でＹＥＳ）に、ステップＳ２１１で画像記録部１１に保存した画像データから合成画像を生成する（ステップＳ２１５）。
【００３２】
次に、ＣＰＵ４は、今の状態で記録媒体９に保存できる容量が不足しているので、図４（ａ）に示すような警告表示を出す（ステップＳ２１６）。
【００３３】
次に、ＣＰＵ４は、記録媒体が交換されるまで、警告表示を継続する（ステップＳ２１７でＮＯ）（ステップＳ２１６）。そして、ＣＰＵ４は、記録媒体が交換された場合（ステップＳ２１７でＹＥＳ）に、交換された記録媒体から検出された空き容量と、撮影された画像データを保存するのに必要な容量とを比較し、保存可能か否かを判別する(ステップＳ２１８)。そして、ＣＰＵ４は、記録容量不足で保存不能と判断した場合（ステップＳ２１８でＮＯ）に、警告表示を継続する（ステップＳ２１６）。
【００３４】
また、ＣＰＵ４は、記録容量が十分で保存可能と判断した場合（ステップＳ２１８でＹＥＳ）に、ステップＳ２１１で画像記録部１１に保存されている画像データから合成対象の画像と合成画像を記録媒体９に保存して本処理を終了する。
【００３５】
この撮像装置では、上述した多重露出撮影処理を実行することにより、多重露出撮影中に記録媒体９の残り撮影可能枚数が少なくなった場合でも新しい記録媒体に交換することで多重撮影の続きを行うことができる。よって、この撮像装置によれば、撮影者の意図する多重露出撮影を行って結果画像を得、さらに元画像と多重露出画像を保存することができる。
【００３６】
また本実施形態では、保存可能な容量を持つ記録媒体に新しく交換する例について述べているが、これに限らず、現在使用している記録媒体９の容量を確保することも考えられる。この場合、ステップＳ２１６で警告表示を出した後、記録媒体９中の画像データを削除するＵＩへと移行する。ここでユーザによって画像データの削除が実行された場合（ステップＳ２１７でＹＥＳ）に、ステップＳ２１８へと進む。ここで、ＣＰＵ４がまだ記録容量不足と判断した場合に、警告表示を行い、再び画像データを削除するＵＩへと移行する。
【００３７】
次に、本実施の形態に係わる撮像装置において、多重露出撮影中に電池が切れた場合に、電池を入れ替えて撮影を続行して多重露出撮影を完遂させるときの手順について、図２ａ及び図２ｂのフローチャートを参照して説明する。
【００３８】
この撮像装置では、撮影者が多重露出撮影モードのスイッチＯＮにすると、ＣＰＵ４が多重露出撮影処理を開始する。そして、撮影枚数設定部１３では、多重露出撮影を行う枚数が設定され、その結果がＣＰＵ４に送信される（ステップＳ３０１）。
【００３９】
次に、電池容量検出手段としての電池残量検出部１２は、撮像装置に装填されている電池の残量を検出し、ＣＰＵ４へ送信する（ステップＳ３０２）。
【００４０】
次に、ＣＰＵ４は、ステップＳ３０１で設定された撮影予定枚数で消費される電池容量（消費電力量）を計算する。そして、ＣＰＵ４は、算出した撮影で消費予定の電池容量と電池の残量とを比較して、多重露出撮影を行う枚数分の撮影を実行可能か否かを判定する（ステップＳ３０３）。
【００４１】
ここで、ＣＰＵ４は、多重露出撮影を行う枚数分の撮影を実行可能と判定した場合（ステップＳ３０３でＹＥＳ）に、撮影を行う（ステップＳ３０４）。
【００４２】
次に、ＣＰＵ４は、撮影して得られた画像データを画像記録部８のＲＡＭ上に記録する（ステップＳ３０５）。次に、ＣＰＵ４は、画像データを記録媒体９に保存する（ステップＳ３０６）。
【００４３】
次に、ＣＰＵ４は、前述したステップＳ３０１で、撮影枚数設定部１３が設定した設定枚数と、ステップＳ３０４で撮影した撮影枚数とを比較する（ステップＳ３０７）。そして、ＣＰＵ４は、設定枚数まで達していないと判定した場合（ステップＳ３０７でＹＥＳ）には、ステップＳ３０４に戻りステップＳ３０５，ステップＳ３０６の動作を繰り返す。
【００４４】
また、ＣＰＵ４は、設定枚数まで達したと判定した場合（ステップＳ３０７でＮＯ）に、画像記録部８に保存してある画像データを引き出して合成画像を生成する（ステップＳ３０８）。
【００４５】
次に、ＣＰＵ４は、生成した合成画像のデータを、記録媒体９に保存し（ステップＳ３０９）、この多重露出撮影処理を終了する。
【００４６】
また、前述したステップＳ３０３で、電池残量が少なく、設定した多重撮影枚数分撮影できないと判断された場合（ステップＳ３０３でＮＯ）には、一枚目の撮影を行う（ステップＳ３１０）。そして、ＣＰＵ４は、撮影された画像データ（画像ファイル）を不揮発性記録手段としての画像記録部１１のＲＯＭ上に記録し（ステップＳ３１１）、続けて、記録媒体９に画像データを保存する（ステップＳ３１２）。
【００４７】
次に、ＣＰＵ４は、前述したステップＳ３０３で算出した、この電池の残量で多重露出撮影を実行可能な枚数の結果等を参照して、次の１枚の画像を撮影可能か否かを判定する（ステップＳ３１３）。
【００４８】
そして、ＣＰＵ４は、次の１枚の画像を撮影可能と判定した場合（ステップＳ３１３でＹＥＳ）に、前述したステップＳ３１０からステップＳ３１３までの処理を実行する。これにより、ＣＰＵ４は、この電池の残量で多重露出撮影を実行可能な枚数の全ての撮影を完了する。
【００４９】
次に、ＣＰＵ４は、次の１枚の画像を撮影不可能と判定した場合（ステップＳ３１３でＮＯ）に、図４（ｂ）に示すような警告画面表示を行う（ステップＳ３１４）。次に、ＣＰＵ４は、電池が交換されまで、警告画面を出しつづける処理を行う（ステップＳ３１５）。
【００５０】
次に、ＣＰＵ４は、電池が交換されたと判定したとき（ステップＳ３１５でＹＥＳ）に、交換された電池の電池容量によって、多重露出撮影で設定された残りの撮影枚数が撮影できるか否かを判断する。
【００５１】
ここで、ＣＰＵ４は、交換された電池の残量によって、設定された残りの撮影枚数が撮影できないと判定した場合には、図４（ｂ）に示す警告画面表示を継続する。
【００５２】
また、ＣＰＵ４は、交換された電池の電池容量によって、多重露出撮影で設定された残りの撮影枚数が撮影できると判定した場合（ステップＳ３１６でＹＥＳ）には、撮影を実行する（ステップＳ３１７）。そして、ＣＰＵ４は、撮影して得られた画像データを不揮発性記録手段としての画像記録部１１に保存し（ステップＳ３１８）、記録媒体にも画像データを保存する（ステップＳ３１９）処理を行う。
【００５３】
ここで、ＣＰＵ４は、撮影枚数が多重露出設定枚数に達するまで、上述したステップＳ３１７からステップＳ３１９までの処理を実行する（ステップＳ３２０）。
【００５４】
次に、ＣＰＵ４は、設定枚数まで多重露出撮影を終えたときに（ステップＳ３２０でＹＥＳ）画像記録部１１に保存してある画像データ（画像ファイル）から合成画像を作成する（ステップＳ３２１）。
【００５５】
次に、ＣＰＵ４は、記録媒体９に保存していない画像と合成画像を記録媒体９に保存し（ステップＳ３２２）、本多重露出撮影処理を終了する。
【００５６】
なお、上述した本多重露出撮影処理では、そのステップＳ３１５に続けて、ＣＰＵ４が、次のように処理を進めても良い。例えば、ＣＰＵ４は、撮影枚数設定部１３で設定された撮影されて合成される画像の合成枚数と、電池残量検出部１２で検出された画像の枚数とを比較する。そして、ＣＰＵ４は、撮影枚数設定部１３で設定された撮影枚数まで撮影できないと判断したときに、撮影できる枚数まで撮影する。次に、ＣＰＵ４は、撮影できた枚数までの画像データと撮影中断情報を画像記録部１１に保存する。
【００５７】
次に、ＣＰＵ４は、容量が十分な電池に入れ替えられたことを検知したときに多重露出撮影を続行させ、画像記録部１１に保存してある画像データと合わせて多重露出撮影に必要な全ての画像と合成画像とを生成する。次に、ＣＰＵ４は、生成された画像と合成画像とを記録媒体９に保存するよう制御する。
【００５８】
この撮像装置では、上述した多重露出撮影処理を実行することにより、多重露出撮影中に電池がなくなった場合でも新しい電池に交換することで多重撮影の続きが行うことができる。よって、この撮像装置によれば、撮影者の意図する多重露出撮影を行って結果画像を得、さらに元画像と多重露出画像を保存することができる。
【００５９】
以上、本発明の実施の形態について説明したが、本発明はこれら実施の形態に限定されず、その要旨の範囲内で種々の変形及び変更が可能である。
【符号の説明】
【００６０】
４  撮像装置全体を制御するＣＰＵ
６  記録媒体容量検出部
８  ＲＡＭ等の画像記録部
９  外部記録媒体
１１  ＲＯＭ等の画像記録部
１２  電池残量検出部
１３  撮影枚数設定部
１４ａ  記録媒体が一杯になったときの警告表示
１４ｂ  記録媒体が一杯になったときの警告表示
【図１ａ】
2012019388.tif 000003
【図１ｂ】
2012019388.tif 000004
【図２ａ】
2012019388.tif 000005
【図２ｂ】
2012019388.tif 000006
【図３】
2012019388.tif 000007
【図４】
2012019388.tif 000008